【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
装置によるワイヤレス通信の方法であって、
局のセットへの送信のために、局の前記セットの各局にとって送信のために利用可能なリソースユニット（ＲＵ）のセットを示す第１のフレームを生成することと、ここにおいて、前記第１のフレームは、各局に対してＲＵの前記セットについてのフィードバックを求める要求を備え、
局の前記セットへの送信のために、前記第１のフレームを出力することと、
各局から、前記第１のフレームに基づいた応答フレームを取得することと、ここにおいて、前記応答フレームは、ＲＵの前記セットについての前記フィードバックを示すビットマップを含み、
を備える、方法。
【請求項２】
ＲＵの前記セットのうちのＲＵに関連するチャネルコンディションは、クリアチャネルアセスメント（ＣＣＡ）決定、ネットワーク割り振りベクトル（ＮＡＶ）設定、エネルギ検出（ＥＤ）レベルが第１のしきい値を上回ること、またはチャネル品質情報（ＣＱＩ）が第２のしきい値を下回ること、のうちの１つに基づいて、ＲＵの前記セットのうちの前記ＲＵに関連するチャネルがビジーであることを示し、各局からの前記応答フレームは、前記チャネルがビジーである間にＲＵの前記セットのうちの前記ＲＵ上で取得される、請求項１に記載の方法。
【請求項３】
ＲＵの前記セットについての前記フィードバックを示す前記ビットマップに基づいて、送信のためにスケジュールされるべき局のサブセットを決定することと、
送信のために局の前記サブセット中の各局に割り振られたＲＵのサブセットを示す第２のフレームを、局の前記サブセットへの送信のために生成することと、
局の前記サブセットへの送信のために、前記第２のフレームを出力することと、
をさらに備える、請求項１に記載の方法。
【請求項４】
前記ビットマップはＲＵの前記セットに基づくＲＵの順序付けられたリストであり、ＲＵの前記順序付けられたリストは、ＲＵの前記セットのサブセットであり、前記方法は、
ＲＵの前記順序付けられたリストに基づいて、送信のためにスケジュールされるべき局のサブセットを決定することと、
ＲＵの前記順序付けられたリストに基づいて、局の前記サブセット中の各局にＲＵのサブセットを割り振ることと、
送信のために局の前記サブセット中の各局に割り振られたＲＵの前記サブセットを示す第２のフレームを、局の前記サブセットへの送信のために生成することと、
局の前記サブセットへの送信のために、前記第２のフレームを出力することと、
をさらに備える、請求項１に記載の方法。
【請求項５】
局の前記サブセットを前記決定することは、
ＲＵの前記順序付けられたリストに基づいて、局の前記サブセットを選択すること
を備え、ＲＵの前記サブセットを前記割り振ることは、
ＲＵの前記順序付けられたリストに基づいて、少なくとも１つのＲＵロケーションを決定することと、
ＲＵの前記順序付けられたリストに基づいて、少なくとも１つのＲＵサイズを決定することと、ここにおいて、各局に割り振られたＲＵの前記サブセットは、前記少なくとも１つのＲＵロケーションまたは前記少なくとも１つのＲＵサイズのうちの少なくとも１つに基づき、
を備える、請求項４に記載の方法。
【請求項６】
マルチユーザフレームを生成することと、
前記第２のフレームの送信の前に、送信のために前記マルチユーザフレームを出力することと、
をさらに備える、請求項４に記載の方法。
【請求項７】
前記第１のフレームが、各局に対してＲＵの前記セットについてのフィードバックを求める前記要求を示す値を備える、請求項１に記載の方法。
【請求項８】
ＲＵの前記セットのうちの少なくとも１つのＲＵについて、前記ビットマップは、前記少なくとも１つのＲＵが利用可能である場合は第１の値、または前記少なくとも１つのＲＵが利用可能でない場合は第２の値、のうちの１つを示す、請求項１に記載の方法。
【請求項９】
ワイヤレス通信のための装置であって、
局のセットに送信されるべき第１のフレームを生成することと、ここにおいて、前記第１のフレームは、局の前記セットの各局にとって送信のために利用可能なリソースユニット（ＲＵ）のセットを示し、前記第１のフレームは、各局に対してＲＵの前記セットについてのフィードバックを求める要求を備え、
各局から、前記第１のフレームに基づいた応答フレームを取得することと、ここにおいて、前記応答フレームは、ＲＵの前記セットについての前記フィードバックを示すビットマップを含み、
を行うように構成される処理システムと、
送信のために前記第１のフレームを提供することと、
前記応答フレームを取得することと、
を行うように構成されるバスシステムと、
を備える、装置。
【請求項１０】
ＲＵの前記セットのうちのＲＵに関連するチャネルコンディションは、クリアチャネルアセスメント（ＣＣＡ）決定、ネットワーク割り振りベクトル（ＮＡＶ）設定、エネルギ検出（ＥＤ）レベルが第１のしきい値を上回ること、またはチャネル品質情報（ＣＱＩ）が第２のしきい値を下回ること、のうちの１つに基づいて、ＲＵの前記セットのうちのＲＵに関連するチャネルがビジーであることを示し、各局からの前記応答フレームは、前記チャネルがビジーである間にＲＵの前記セットのうちの前記ＲＵ上で取得される、請求項９に記載の装置。
【請求項１１】
前記処理システムは、
ＲＵの前記セットについての前記フィードバックを示す前記ビットマップに基づいて、送信のためにスケジュールされるべき局のサブセットを決定することと、
送信のために局の前記サブセット中の各局に割り振られたＲＵのサブセットを示す第２のフレームを、局の前記サブセットへの送信のために生成することと、
局の前記サブセットへの送信のために、前記第２のフレームを出力することと、
を行うようにさらに構成される、請求項９に記載の装置。
【請求項１２】
前記ビットマップはＲＵの前記セットに基づくＲＵの順序付けられたリストであり、ＲＵの前記順序付けられたリストは、ＲＵの前記セットのサブセットであり、前記処理システムが、
ＲＵの前記順序付けられたリストに基づいて、送信のためにスケジュールされるべき局のサブセットを決定することと、
ＲＵの前記順序付けられたリストに基づいて、局の前記サブセット中の各局にＲＵのサブセットを割り振ることと、
送信のために局の前記サブセット中の各局に割り振られたＲＵの前記サブセットを示す、局の前記サブセットに送信されるべき第２のフレームを生成することと、
を行うようにさらに構成される、請求項９に記載の装置。
【請求項１３】
局の前記サブセットを決定するために、前記処理システムが、
ＲＵの前記順序付けられたリストに基づいて、局の前記サブセットを選択すること
を行うように構成され、
ＲＵの前記サブセットを割り振るために、前記処理システムが、
ＲＵの前記順序付けられたリストに基づいて、少なくとも１つのＲＵロケーションを決定することと、
ＲＵの前記順序付けられたリストに基づいて、少なくとも１つのＲＵサイズを決定することと、各局に割り振られたＲＵの前記サブセットは、前記少なくとも１つのＲＵロケーションまたは前記少なくとも１つのＲＵサイズのうちの少なくとも１つに基づき、
を行うように構成される、請求項１２に記載の装置。
【請求項１４】
前記処理システムが、
マルチユーザフレームを生成することと、
前記第２のフレームの前記送信の前に、送信のために前記マルチユーザフレームを出力することと、
を行うようにさらに構成される、請求項１２に記載の装置。
【請求項１５】
前記第１のフレームが、各局に対してＲＵの前記セットについてのフィードバックを求める前記要求を示す値を備える、請求項９に記載の装置。
【請求項１６】
ＲＵの前記セットのうちの少なくとも１つのＲＵについて、前記ビットマップは、前記少なくとも１つのＲＵが利用可能である場合は第１の値、または前記少なくとも１つのＲＵが利用可能でない場合は第２の値、のうちの１つを示す、請求項９に記載の装置。
【請求項１７】
アクセスポイントであって、
局のセットに送信されるべき第１のフレームを生成すること、ここにおいて、前記第１のフレームは、局の前記セットの各局にとって送信のために利用可能なリソースユニット（ＲＵ）のセットを示し、前記第１のフレームは、各局に対してＲＵの前記セットについてのフィードバックを求める要求を備え、
を行うように構成される処理システムと、
前記第１のフレームを送信すること
を行うように構成される送信機と、
各局から、前記第１のフレームに基づいた応答フレームを受信すること、ここにおいて、前記応答フレームは、ＲＵの前記セットについての前記フィードバックを示すビットマップを含み、
を行うように構成される受信機と、
を備える、アクセスポイント。
【手続補正２】
【補正対象書類名】明細書
【補正対象項目名】００９５
【補正方法】変更
【補正の内容】
【００９５】
[00103]  先の説明は、当業者が、ここに説明された様々な態様を実施することができるように提供されている。これらの態様に対する様々な変更は、当業者に容易に理解されるものであり、ここに定義された一般的な原理は、他の態様に適用され得る。したがって、特許請求の範囲は、ここに示される態様に限定されるようには意図されておらず、請求項の文言と一致する最大の範囲を認められるべきであり、ここで、ある要素への単数形での言及は、そのように明確に述べられていない限りは「１つおよび１つのみ」を意味するのではなく、「１つまたは複数」を意味するように意図されている。そうでないとの明確な記載がない限り、「いくつかの（some）」という用語は、１つまたは複数を指す。当業者に知られている、あるいは後に知られることになる本開示全体にわたって説明された様々な態様の要素に対するすべての構造的および機能的な同等物は、参照によってここに明確に組み込まれ、特許請求の範囲に包含されるように意図されている。さらに、本明細書におけるいかなる開示も、そのような開示が特許請求の範囲に明確に記載されているか否かに関わらず、公衆に献呈されることを意図したものではない。特許請求の範囲のいずれの要素も、その要素が「のための手段」という表現を使用して明示的に記載されていない限り、または、方法の請求項のケースでは、その要素が「のためのステップ」という表現を使用して記載されていない限り、米国特許法第１１２条（ｆ）の規定の下で解釈されるべきではない。
以下に、本願出願の当初の特許請求の範囲に記載された発明を付記する。
［Ｃ１］
アクセスポイントによるワイヤレス通信の方法であって、
局のセットに、局の前記セットの各局にとって利用可能な、アップリンク送信のためのリソースユニット（ＲＵ）のセットを示すトリガフレームを送信することと、ここにおいて、前記トリガフレームは、各局に対してＲＵの前記セットについてのフィードバックを求める要求を備え、
各局から、前記送信されたトリガフレームに基づいたアップリンクリソース上で、応答フレームを受信することと、ここにおいて、前記応答フレームは、ＲＵの前記セットについての前記フィードバックを含み、かつ前記アップリンクリソースに関連するチャネルコンディションとは無関係に受信され、
を備える、方法。
［Ｃ２］
前記チャネルコンディションは、クリアチャネルアセスメント（ＣＣＡ）決定、ネットワーク割り振りベクトル（ＮＡＶ）設定、エネルギ検出（ＥＤ）レベルが第１のしきい値を上回ること、またはチャネル品質情報（ＣＱＩ）が第２のしきい値を下回ること、のうちの１つに基づいて、前記アップリンクリソースに関連するチャネルがビジーであることを示し、各局からの前記応答フレームは、前記チャネルがビジーである間に前記アップリンクリソース上で受信される、Ｃ１に記載の方法。
［Ｃ３］
前記フィードバックはＲＵの前記セットに基づくＲＵの順序付けられたリストであり、ＲＵの前記順序付けられたリストは、ＲＵの前記セットのＲＵがクリアチャネルアセスメント（ＣＣＡ）をクリアとしたかどうか、または各局のチャネル品質情報（ＣＱＩ）選好に基づいて、順序付けられる、Ｃ１に記載の方法。
［Ｃ４］
前記フィードバックはＲＵの前記セットに基づくＲＵの順序付けられたリストであり、ＲＵの前記順序付けられたリストは、リソースユニットの前記セットのサブセットであり、前記方法は、
前記受信された応答フレームと、前記受信された応答フレーム中に示されたＲＵの前記順序付けられたリストとに基づいて、アップリンク送信のためにスケジュールされるべき局のサブセットを決定することと、
アップリンク送信のために局の前記サブセット中の各局に割り振られたＲＵのサブセットを示す第２のトリガフレームを、局の前記サブセットに送信することと、
をさらに備える、Ｃ１に記載の方法。
［Ｃ５］
局の前記サブセットを前記決定することは、
局の前記セットの各局からの前記受信された応答フレームに基づいて、局の前記サブセットを選択することと、
ＲＵの前記順序付けられたリストに基づいて、少なくとも１つのＲＵロケーションを決定することと、
ＲＵの前記順序付けられたリストに基づいて、少なくとも１つのＲＵサイズを決定することと、
を備える、Ｃ４に記載の方法。
［Ｃ６］
前記第２のトリガフレームを送信する前に、ダウンリンクマルチユーザフレームを送信することをさらに備える、Ｃ４に記載の方法。
［Ｃ７］
前記トリガフレームが、各局に対してＲＵの前記セットについてのフィードバックを求める前記要求を示す値を備える、Ｃ１に記載の方法。
［Ｃ８］
ワイヤレス通信のための装置であって、前記装置がアクセスポイントであり、
局のセットに、局の前記セットの各局にとって利用可能な、アップリンク送信のためのリソースユニット（ＲＵ）のセットを示すトリガフレームを送信するための手段と、ここにおいて、前記トリガフレームは、各局に対してＲＵの前記セットについてのフィードバックを求める要求を備え、
各局から、前記送信されたトリガフレームに基づいたアップリンクリソース上で、応答フレームを受信するための手段と、ここにおいて、前記応答フレームは、ＲＵの前記セットについての前記フィードバックを含み、かつ前記アップリンクリソースに関連するチャネルコンディションとは無関係に受信され、
を備える、装置。
［Ｃ９］
前記チャネルコンディションは、クリアチャネルアセスメント（ＣＣＡ）決定、ネットワーク割り振りベクトル（ＮＡＶ）設定、エネルギ検出（ＥＤ）レベルが第１のしきい値を上回ること、またはチャネル品質情報（ＣＱＩ）が第２のしきい値を下回ること、のうちの１つに基づいて、前記アップリンクリソースに関連するチャネルがビジーであることを示し、各局からの前記応答フレームは、前記チャネルがビジーである間に前記アップリンクリソース上で受信される、Ｃ８に記載の装置。
［Ｃ１０］
前記フィードバックはＲＵの前記セットに基づくＲＵの順序付けられたリストであり、ＲＵの前記順序付けられたリストは、ＲＵの前記セットのＲＵがクリアチャネルアセスメント（ＣＣＡ）をクリアとしたかどうか、または各局のチャネル品質情報（ＣＱＩ）選好に基づいて、順序付けられる、Ｃ８に記載の装置。
［Ｃ１１］
前記フィードバックはＲＵの前記セットに基づくＲＵの順序付けられたリストであり、ＲＵの前記順序付けられたリストは、リソースユニットの前記セットのサブセットであり、前記装置は、
前記受信された応答フレームと、前記受信された応答フレーム中に示されたＲＵの前記順序付けられたリストとに基づいて、アップリンク送信のためにスケジュールされるべき局のサブセットを決定するための手段と、
アップリンク送信のために局の前記サブセット中の各局に割り振られたＲＵのサブセットを示す第２のトリガフレームを、局の前記サブセットに送信するための手段と、
をさらに備える、Ｃ８に記載の装置。
［Ｃ１２］
局の前記サブセットを決定するための前記手段が、
局の前記セットの各局からの前記受信された応答フレームに基づいて、局の前記サブセットを選択することと、
ＲＵの前記順序付けられたリストに基づいて、少なくとも１つのＲＵロケーションを決定することと、
ＲＵの前記順序付けられたリストに基づいて、少なくとも１つのＲＵサイズを決定することと、
を行うように構成される、Ｃ１１に記載の装置。
［Ｃ１３］
前記トリガフレームが、各局に対してＲＵの前記セットについてのフィードバックを求める前記要求を示す値を備える、Ｃ８に記載の装置。
［Ｃ１４］
ワイヤレス通信のための装置であって、前記装置がアクセスポイントであり、
メモリと、
前記メモリに結合された少なくとも１つのプロセッサと、
を備え、前記少なくとも１つのプロセッサが、
局のセットに、局の前記セットの各局にとって利用可能な、アップリンク送信のためのリソースユニット（ＲＵ）のセットを示すトリガフレームを送信することと、ここにおいて、前記トリガフレームは、各局に対してＲＵの前記セットについてのフィードバックを求める要求を備え、
各局から、前記送信されたトリガフレームに基づいたアップリンクリソース上で、応答フレームを受信することと、ここにおいて、前記応答フレームは、ＲＵの前記セットについての前記フィードバックを含み、かつ前記アップリンクリソースに関連するチャネルコンディションとは無関係に受信され、
を行うように構成される、装置。
［Ｃ１５］
前記チャネルコンディションは、クリアチャネルアセスメント（ＣＣＡ）決定、ネットワーク割り振りベクトル（ＮＡＶ）設定、エネルギ検出（ＥＤ）レベルが第１のしきい値を上回ること、またはチャネル品質情報（ＣＱＩ）が第２のしきい値を下回ること、のうちの１つに基づいて、前記アップリンクリソースに関連するチャネルがビジーであることを示し、各局からの前記応答フレームは、前記チャネルがビジーである間に前記アップリンクリソース上で受信される、Ｃ１４に記載の装置。
［Ｃ１６］
前記フィードバックはＲＵの前記セットに基づくＲＵの順序付けられたリストであり、ＲＵの前記順序付けられたリストは、ＲＵの前記セットのＲＵがクリアチャネルアセスメント（ＣＣＡ）をクリアとしたかどうか、または各局のチャネル品質情報（ＣＱＩ）選好に基づいて、順序付けられる、Ｃ１４に記載の装置。
［Ｃ１７］
前記フィードバックはＲＵの前記セットに基づくＲＵの順序付けられたリストであり、ＲＵの前記順序付けられたリストは、リソースユニットの前記セットのサブセットであり、前記少なくとも１つのプロセッサが、
前記受信された応答フレームと、前記受信された応答フレーム中に示されたＲＵの前記順序付けられたリストとに基づいて、アップリンク送信のためにスケジュールされるべき局のサブセットを決定することと、
アップリンク送信のために局の前記サブセット中の各局に割り振られたＲＵのサブセットを示す第２のトリガフレームを、局の前記サブセットに送信することと、
を行うようにさらに構成される、Ｃ１４に記載の装置。
［Ｃ１８］
前記少なくとも１つのプロセッサが、
局の前記セットの各局からの前記受信された応答フレームに基づいて、局の前記サブセットを選択することと、
ＲＵの前記順序付けられたリストに基づいて、少なくとも１つのＲＵロケーションを決定することと、
ＲＵの前記順序付けられたリストに基づいて、少なくとも１つのＲＵサイズを決定することと、
によって、局の前記サブセットを決定するように構成される、Ｃ１７に記載の装置。
［Ｃ１９］
前記少なくとも１つのプロセッサが、前記第２のトリガフレームを送信する前に、ダウンリンクマルチユーザフレームを送信するようにさらに構成される、Ｃ１７に記載の装置。
［Ｃ２０］
前記トリガフレームが、各局に対してＲＵの前記セットについてのフィードバックを求める前記要求を示す値を備える、Ｃ１４に記載の装置。